(57)【要約】【課題】カーテンウォールの方立に無目を簡単に連結できるようにする。【解決手段】方立１の室外側面１ａに無目ブラケット３を取り付け、この無目ブラケット３の支持片３２と方立１の室外側部とで無目２の無目本体２０を挟持して水平荷重を受けると共に、無目２の載置部２３を無目ブラケット３の室外側挟持部３２の上面に接して鉛直荷重を受けるように無目２を方立１に連結し、ボルトを用いずに無目２を方立１に簡単に連結できるようにする。【選択図】図２
2014122474.tif 000002
【特許請求の範囲】
【請求項１】
方立の室外側面に取り付けた無目ブラケットを介して無目を連結して枠体を形成し、その枠体にパネルを装着したカーテンウォールであって、
前記無目は、無目本体とその室外側にパネル支持部を有し、
前記無目ブラケットは、前記無目本体を方立の室外側部との間で又は無目ブラケットの室内側部との間で挟持する室外側挟持部が設けられており、かつ前記室外側挟持部に前記無目を載置することを特徴とするカーテンウォール。
【請求項２】
前記無目ブラケットの室外側挟持部の室内側面と方立の室外側部が無目の無目本体の室外側面と室内側面にそれぞれ接し、無目本体を方立の室外側部と室外側挟持部との間で挟持するようにした請求項１記載のカーテンウォール。
【請求項３】
前記無目は、前記無目本体の室外側面に載置部を有し、
前記載置部が前記無目ブラケットの室外側挟持部の上面に載置するようにした請求項１又は２記載のカーテンウォール。
【請求項４】
前記無目ブラケットは、前記方立の室外側面に取り付ける取付部を有し、
前記方立の室外側面は、前記無目ブラケットの取付部を係合して取り付けるブラケット取付部を有し、
前記無目ブラケットの取付部は前記方立のブラケット取付部に固着して取り付けられた請求項１又は２又は３記載のカーテンウォール。
【請求項５】
前記無目の載置部下方の無目本体の室外側面を、その上部が下部よりも室外側寄りとなる傾斜面とした請求項３記載のカーテンウォール。
【発明の詳細な説明】
【技術分野】
【０００１】
本発明は、建物の外壁を構成するカーテンウォールに関する。
【背景技術】
【０００２】
カーテンウォールはユニット式のカーテンウォールと方立式のカーテンウォールが存在し、方立式のカーテンウォールが特許文献１に開示されている。
この方立式のカーテンウォールは、方立の室外側部に左右の無目を上下方向に間隔を置いて連結することで枠を形成し、その枠にガラスを装着してある。
【先行技術文献】
【特許文献】
【０００３】
【特許文献１】特開２００３−２９３４９９号公報
【発明の概要】
【発明が解決しようとする課題】
【０００４】
前述した従来のカーテンウォールは、方立の見付け面にブラケットをボルトで固着して取り付け、このブラケットに無目の室内側面をボルトで固着して取り付けることで、無目を方立に連結している。
このために、無目を連結するブラケットが室内から見えて内観の見栄えが悪いので、内観の見栄えを良くするために、方立にブラケットを覆うカバーを取り付けている。
また、無目を方立に前述のように連結しているので、無目の方立への連結部が室内側端で、パネルは無目の室外側寄りに装着して支持するから、無目の方立への連結部とパネル支持部が室内外側方向に大きく離隔し、無目の方立への連結部にはパネル自重などで大きな下向き荷重が負荷するので、前述のブラケットを大型とすると共に、ボルトを太くして締め付け強度を大とし、無目の方立への連結強度を十分なものとしている。
【０００５】
このように、従来のカーテンウォールは、方立に無目を連結するためには、方立にブラケットを取り付ける作業、大変なボルトの締め付け作業、方立にカバーを取り付ける作業等をしなければならず、その無目を方立に連結する作業が面倒で、時間がかかるので、カーテンウォールの施工効率が悪くなる一要因となっている。
【０００６】
本発明の目的は、無目を方立に簡単に、短時間で連結できるようにしたカーテンウォールとすることである。
【課題を解決するための手段】
【０００７】
本発明は、方立の室外側面に取り付けた無目ブラケットを介して無目を連結して枠体を形成し、その枠体にパネルを装着したカーテンウォールであって、
前記無目は、無目本体とその室外側にパネル支持部を有し、
前記無目ブラケットは、前記無目本体を方立の室外側部との間で又は無目ブラケットの室内側部との間で挟持する室外側挟持部が設けられており、かつ前記室外側挟持部に前記無目を載置することを特徴とするカーテンウォールである。
【０００８】
本発明においては、前記無目ブラケットの室外側挟持部の室内側面と方立の室外側部が無目の無目本体の室外側面と室内側面にそれぞれ接し、無目本体を方立の室外側部と室外側挟持部との間で挟持するようにできる。
このようにすれば、方立に無目ブラケットを取り付けた状態で、無目を無目ブラケットに向けて移動して無目本体を方立の室外側部と室外側挟持部との間に嵌め込むことで無目を方立に連結できる。
【０００９】
本発明においては、前記無目は、前記無目本体の室外側面に載置部を有し、
前記載置部が前記無目ブラケットの室外側挟持部の上面に載置することができる。
【００１０】
本発明においては、前記無目ブラケットは、前記方立の室外側面に取り付ける取付部を有し、
前記方立の室外側面は、前記無目ブラケットの取付部を係合して取り付けるブラケット取付部を有し、
前記無目ブラケットの取付部は前記方立のブラケット取付部に固着して取り付けることできる。
このようにすれば、無目ブラケットの取付部を方立のブラケット取付部に係合して取り付けるから、無目ブラケットを簡単に方立に取り付けできる。
【００１１】
本発明は、前記無目の載置部下方の無目本体の室外側面を、その上部が下部よりも室外側寄りとなる傾斜面とすることができる。
このようにすれば、各部材の製作誤差などがあっても無目の取付部を方立の室外側部と無目ブラケットの室外側挟持部とで確実に挟持することができる。
【発明の効果】
【００１２】
本発明によれば、無目ブラケットが室内側から目視されないからカバーを取り付ける必要がないと共に、無目ブラケットと無目をボルトで固着していないので、無目を方立に簡単に、短時間で連結することができる。
【図面の簡単な説明】
【００１３】
【図１】本発明の実施の形態を示すカーテンウォールの一部外観図である。
【図２】図１のＡ−Ａ断面図である。
【図３】図２のＢ−Ｂ断面図である。
【図４】図２のＣ−Ｃ断面図である。
【図５】方立と無目を分解した斜視図である。
【図６】他の実施の形態を示す横断面図である。
【発明を実施するための形態】
【００１４】
図１に示すように、図示しない建物躯体に方立１を左右方向に間隔を置いてファスナーで固着して取り付け、方立１の室外側面に無目ブラケット３を上下方向に間隔をおいて取り付け、その左右の方立１に渡って無目２を前記無目ブラケット３で連結して枠を形成し、その枠にガラス等のパネル４を装着して方立式のカーテンウォールとしてある。図１においては、１つの方立１と左右の無目２のみが図示されている。
図１に示すカーテンウォールは、パネル４が方立１よりも室外側に装着されていると共に、パネル４の縦縁部が露出し、室外から見たときに無目２とガラス４が見える横強張のカーテンウォールである。
【００１５】
図２〜図５を参照して各部材を説明する。
方立１は矩形断面中空形状で、その室外側面１ａに左右のブラケット取付部１０を有している。ブラケット取付部１０は左右に連続した１つとしても良い。
この各ブラケット取付部１０は、平坦な取付受面１１と、その取付受面１１の左右両側方縦縁に沿って長手方向に連続して設けた外側係止受片１２、内側係止受片１３を有し、室外側に開口したほぼあり溝形状である。
各外側係止受片１２は、室外側面１ａの左右両側に設けられ、方立１の左右の見付け面１ｂと連続して取付受面１１から室外側に突出し、左右中央側に向かう鉤形状である。
各内側係止受片１３は、室外側面１ａの左右中央側に設けられ、各外側係止受片１２に向かう鉤形状である。
【００１６】
無目２は、室内側の無目本体２０と室外側の上パネル支持部２１、下パネル支持部２２と、載置部２３を有し、この載置部２３は無目本体２０よりも室外寄りに設けてある。
無目本体２０は矩形断面中空形状で、その室外側面２０ａの上下にシール材装着部、例えば室外側に開口した凹条溝２０ｂをそれぞれ有する。
【００１７】
上パネル支持部２１は、無目本体２０の室外側面２０ａの上部と、室外側に向かう横片２１ａと、押縁２１ｂで上向きに開口して溝形状で、パネル４の下端縁が入り込み、室内側上シール材５ａ、室外側上シール材５ｂで気密して支持する。
下パネル支持部２２は、無目本体２０の室外側面２０ａの下部と、室外側に向かう下向き鉤形状の横片２２ａで下向きに開口した溝形状で、パネル４の上端縁が入り込み、室内側下シール材６ａ、室外側下シール材６ｂで気密して支持する。
【００１８】
載置部２３は、無目本体２０の室外側面２０ａに下パネル支持部２２に突出して設けた突片である。
この載置部２３は上下パネル支持部２１，２２を形成する部材と兼用することもできる。
【００１９】
無目ブラケット３は左右の取付部３０と、この左右の取付部３０の左右中間から室外側に向けて設けた本体部３１と、この本体部３１の室外側端に設けた左右方向（面内方向）に向かう左右の室外側挟持部３２とで平面形状略エ字形状である。
左右の取付部３０は方立１の左右のブラケット取付部１０に係合、例えば室内外側方向（面外方向）に動かないように係合して取り付けられ、ビス３３で上下方向に動かないように固定してある。
つまり、取付部３０は取付面３０ａと、その取付面３０ａの左右両端に設けた外側係止片３０ｂ、左右中間に設けた内側係止片３０ｃを有し、その取付面３０ａがブラケット取付部１０の取付受面１１に接すると共に、外側係止片３０ｂが外側係止受片１２に係止し、内側係止片３０ｃが内側係止受片１３に係止することで無目ブラケット３を方立１の室外側面に取り付ける。
【００２０】
この無目ブラケット３は方立１の長手方向端部から外側係止片３０ｂ、内側係止片３０ｃを外側係止受片１２、内側係止受片１３に差し込み、長手方向にスライドして所定位置とし、ビス３３を螺合して取り付ける。
【００２１】
無目ブラケット３は方立１の室外側面１ａに取り付けられ、方立１の左右の見付け面１ｂから張り出すことがないので、その無目ブラケット３は室内側から見えることがなく、カバーを取り付けて覆う必要がない。
【００２２】
図５に矢印で示すように無目２を無目ブラケット３の上まで横方向に移動した後に下方に移動し、無目２の無目本体２０を方立１と室外側挟持部３２の間に嵌め込み、無目本体２０の室内側面２０ｃを方立１の室外側部、例えば左右の外係止受片１２に接すると共に、無目本体２０の室外側面２０ａを無目ブラケット３の室外側挟持部３２の左右の室内側面３２ａに接し、載置部２３を室外側挟持部３２の上面に載置することで、無目２を方立１に連結する。
【００２３】
これにより、無目２は無目本体２０が方立１の室外側部と無目ブラケット３の室外側挟持部３２とで室内外側方向に動くことがないように挟持して支持され、その部分で無目２に負荷する水平荷重を受け、無目ブラケット３の室外側挟持部３２で下方に動かないように支持され、その部分で無目２に負荷する鉛直荷重を受けて無目２が方立１に連結されるから、パネル４に作用する風による正圧、負圧で無目２に負荷する水平荷重で無目２が方立１から分離することがなく、耐風圧性が向上する。
【００２４】
しかも、無目２の室外側寄り（パネル支持部）に負荷するパネル４の自重などによる下向き荷重で、無目２が下向きに回転変位するモーメントが発生したときに、無目２に負荷する水平荷重、鉛直荷重が前述の部分で支持されるから、無目２が下向きに回転変位することがない。
【００２５】
このようであるから、無目２と無目ブラケット３をボルトで連結せずに無目２を方立１に強固に連結でき、前述の無目ブラケット３のカバーが不要であることによって、無目２を方立１に簡単に、短時間で連結できる。
【００２６】
無目ブラケット３の取付部３０を方立１のブラケット取付部１０に室内外側方向に動かないように係合して取り付けてあるので、その係合部分で無目ブラケット３に負荷する水平荷重を支持することができ、ビス３３は無目ブラケット３が自重で落下しないように支持するもので、そのビス３３の締め付け強度は弱いもので良いから、容易に締め付けできる。
これにより、無目ブラケット３を簡単に方立１に取り付けでき、無目２を方立に連結する作業が一層簡単で、短時間にできる。
【００２７】
図２に示すように、無目２の無目本体２０の室外側面２０ａにおける無目ブラケット３の室外側挟持部３２の室内側面３２ａが接する部分２０ａ−１（つまり、無目２の載置部２３下方の無目本体２０の室外側面２０ａ）は、鉛直面に対して上部が下部よりも室外側寄りとなる傾斜面としてある。
これにより、無目２を下方に移動して無目本体２０の室外側面２０ａを室外側挟持部３２の室内側面３２ａに接触し易いと共に、方立１、無目２、無目ブラケット３などの製作誤差などがあっても無目本体２０の室外側面２０ａを室外側挟持部３２の室内側面３２ａに接して無目本体２０を確実に挟持でき、ガタが生じることがない。
【００２８】
図２、図３に示すように、方立１の室外側面１ａにおける上下に隣接した無目２間に補助縦材７が取り付けてある。
補助縦材７は室内側部７０と左右一対のパネル支持部７１を有し、その室内側部７０の係止片７２を方立１の外係止受片１２と内係止受片１３に係合すると共に、ビス７３で固着して方立１の室外側面１ａに取り付け、上下に隣接した無目２の無目本体２０の下面、上面に接している。
左右のパネル支持部７１の室外側面７１ａは無目２の無目本体２０の室外側面２０ａと面一に連続し、パネル４の室内側面の縦縁との間にシール材７４を装着している。
【００２９】
図５に示すように、無目２の無目本体２０の長手方向両端の上部と下パネル支持部２２の長手方向両端にシール材受け２４がそれぞれ設けられ、左右の無目２を方立１に連結した状態で左右のシール材受け２４が連続するようにし、図３に示すように左右の無目２間にシール材２５を装着してある。
【００３０】
図６に示すように、パネル４の室外側面の左右縦縁を押え部材８で支持するようにしても良い。
この押え部材８は、左右の押え片８０，８０と取付片８１を有し、その取付片８１を補助縦材７の一方のパネル支持部７１に係止して取り付けることで、左右の押え片８０を左右のパネル４の室外側面の左右縦縁と対向し、シール材８２を装着することでパネル４の室外側面の左右縦縁を支持する。
【００３１】
無目２の無目本体２０を方立ブラケット３の室内側部と室内側挟持部３２との間で挟持することで、無目２と無目ブラケット３をボルトで固着しないように連結することができる。例えば、無目ブラケット３の室内側部に室内側の挟持部を設け、この挟持部と室外側挟持部３２との間で無目本体２０を挟持する。
【符号の説明】
【００３２】
１…方立、１ａ…室外側面、２…無目、３…無目ブラケット、４…パネル、１０…ブラケット取付部、２０…無目本体、２０ａ…室外側面、２０ｃ…室内側面、２１…上パネル支持部、２２…下パネル支持部、２３…載置部、３０…取付部、３２…室外側挟持部、３３…ビス。
【図１】
2014122474.tif 000003
【図２】
2014122474.tif 000004
【図３】
2014122474.tif 000005
【図４】
2014122474.tif 000006
【図５】
2014122474.tif 000007
【図６】
2014122474.tif 000008